(57)【要約】【課題】空調端末の種類に応じて往き温度制御と戻り温度制御を使い分けるヒートポンプ式冷水冷房装置を提供する。【解決手段】ヒートポンプ式熱源機１で冷却された循環液を空調端末に供給して冷房運転を行うものにおいて、往き温度が目標往き温度になるようにヒートポンプ式熱源機１を制御する往き温度制御、または、戻り温度が目標戻り温度になるようにヒートポンプ式熱源機１を制御する戻り温度制御を実行する制御装置６１を設け、冷房運転の際に、輻射式端末５１が運転される場合、制御装置６１は、圧縮機７の回転数が予め設定された高回転数域であれば戻り温度制御を実行し、圧縮機７の回転数が予め設定された中回転数域であれば往き温度制御を実行し、圧縮機７の回転数が予め設定された低回転数域であれば戻り温度制御を実行し、空調端末として輻射式端末５１以外が運転される場合、制御装置６１は、戻り温度制御を実行するようにした。【選択図】図５
2020012599.tif 000002
【特許請求の範囲】
【請求項１】
冷媒を圧縮する圧縮機と、循環液と前記冷媒とを熱交換させる負荷側熱交換器と、減圧手段と、熱源側熱交換器とを有するヒートポンプ式熱源機と、
前記ヒートポンプ式熱源機の前記負荷側熱交換器と、前記循環液を熱源として被空調空間の空調を行う空調端末と、前記循環液を循環させる循環ポンプとを配管で環状に接続し形成される前記循環液が循環する循環回路と、
前記負荷側熱交換器から前記空調端末へ流出する前記循環液の往き温度を決定する往き温度決定手段と、
前記空調端末から前記負荷側熱交換器に流入する前記循環液の戻り温度を決定する戻り温度決定手段と、を備え、
前記ヒートポンプ式熱源機で冷却された前記循環液を前記循環ポンプの駆動によって前記空調端末に供給して冷房運転を行うヒートポンプ式冷水冷房装置において、
前記往き温度決定手段により決定される前記往き温度が目標往き温度になるように前記ヒートポンプ式熱源機を制御する往き温度制御、または、前記戻り温度決定手段により決定される前記戻り温度が目標戻り温度になるように前記ヒートポンプ式熱源機を制御する戻り温度制御を実行すると共に、負荷の大きさに応じて前記圧縮機の回転数を増減させる制御装置を設け、
前記制御装置は、前記空調端末の運転要求に基づき運転される前記空調端末の種類を判定する端末判定手段を有し、
前記冷房運転の際に、前記端末判定手段が前記空調端末として輻射式端末が運転されると判定した場合、前記制御装置は、前記圧縮機の回転数が予め設定された高回転数域であれば前記戻り温度制御を実行し、前記圧縮機の回転数が予め設定された中回転数域であれば前記往き温度制御を実行し、前記圧縮機の回転数が予め設定された低回転数域であれば前記戻り温度制御を実行し、
前記端末判定手段が前記空調端末として前記輻射式端末以外が運転されると判定した場合、前記制御装置は、前記戻り温度制御を実行するようにしたことを特徴とするヒートポンプ式冷水冷房装置。
【発明の詳細な説明】
【技術分野】
【０００１】
本発明は、冷却された循環液を空調端末に供給し冷房運転を行うヒートポンプ式冷水冷房装置に関するものである。
【背景技術】
【０００２】
従来よりこの種のものにおいては、特許文献１記載のように、ヒートポンプ式熱源機の負荷側熱交換器にて冷却された循環液が空調端末に供給され、冷房運転が行われるものがあった。
【０００３】
この従来技術では、ヒートポンプ式熱源機は、いわゆる戻り温度制御によって動作が制御される。すなわち、ヒートポンプ式熱源機は、空調端末から負荷側熱交換器へ流入する循環液の温度が目標戻り温度になるように制御される。この戻り温度制御では、負荷に応じてなりゆきで負荷側熱交換器から空調端末へ流出する循環液の往き温度が変化し、低負荷のときには、冷房運転時に往き温度を高くすることができるので、ヒートポンプ式熱源機の効率向上を図れるという特徴がある。
【先行技術文献】
【特許文献】
【０００４】
【特許文献１】特開２０１７−１６６７７３号公報
【発明の概要】
【発明が解決しようとする課題】
【０００５】
一方、前記戻り温度制御とは別のヒートポンプ式熱源機の制御方法として、いわゆる往き度制御がある。この場合、ヒートポンプ式熱源機は、負荷側熱交換器から空調端末へ流出する循環液の往き温度が目標往き温度になるように制御される。この往き温度制御は、空調端末への供給温度が一定となることから、空調端末の出力を保ちやすい、という特徴がある。
【０００６】
ここで、空調端末としては種々のものが存在するが、当該空調端末の種類によって、冷房運転時に、その特性上、前記往き温度制御を行った方が好ましい場合、または前記戻り温度制御を行った方が好ましい場合がある。
【０００７】
例えば、強制対流式端末の一種であるファンコイルユニットが冷房運転を行う場合、送風ファンで室内空気を循環させることから、運転開始初期の高負荷時に室内の湿気をある程度均一に除湿（すなわち潜熱処理）した後、安定的な運転となる。したがって、効率向上を主眼として前記戻り温度制御を行ったとしても、高い湿度で快適性が阻害される状況とはなりにくい。
【０００８】
これに対して、例えば輻射式端末の一種である冷温水パネルが冷房運転を行う場合、運転開始初期の高負荷時は、圧縮機が高回転数域で駆動し出力も大きく、パネル周辺の湿気をある程度除湿（すなわち潜熱処理）できるが、パネル自体がある程度冷えてくると、室内の温度が下がりきっていなくても圧縮機の回転数を低下させていく。この場合、仮に前記戻り温度制御を行ったとすると、パネル自体がある程度冷えたタイミングで（まだ室内の温度が下がってなくても）、パネルに供給される循環液の往き温度がなりゆきで上昇していくことになり、室内の温度が低下しにくくなる結果、室内の湿度が下がりきらず不快な状況を招く。したがって、冷温水パネルが冷房運転を行う場合は、室内の湿度を下げるために、往き温度制御を行った方がよい場面が存在する。
【０００９】
上記従来技術では、前記のような、空調端末の種類に応じて、戻り温度制御、往き温度制御を使い分けるという点には特に配慮されておらず、改良の余地があった。
【課題を解決するための手段】
【００１０】
本発明は上記課題を解決するために、請求項１では、冷媒を圧縮する圧縮機と、循環液と前記冷媒とを熱交換させる負荷側熱交換器と、減圧手段と、熱源側熱交換器とを有するヒートポンプ式熱源機と、前記ヒートポンプ式熱源機の前記負荷側熱交換器と、前記循環液を熱源として被空調空間の空調を行う空調端末と、前記循環液を循環させる循環ポンプとを配管で環状に接続し形成される前記循環液が循環する循環回路と、前記負荷側熱交換器から前記空調端末へ流出する前記循環液の往き温度を決定する往き温度決定手段と、前記空調端末から前記負荷側熱交換器に流入する前記循環液の戻り温度を決定する戻り温度決定手段と、を備え、前記ヒートポンプ式熱源機で冷却された前記循環液を前記循環ポンプの駆動によって前記空調端末に供給して冷房運転を行うヒートポンプ式冷水冷房装置において、前記往き温度決定手段により決定される前記往き温度が目標往き温度になるように前記ヒートポンプ式熱源機を制御する往き温度制御、または、前記戻り温度決定手段により決定される前記戻り温度が目標戻り温度になるように前記ヒートポンプ式熱源機を制御する戻り温度制御を実行すると共に、負荷の大きさに応じて前記圧縮機の回転数を増減させる制御装置を設け、前記制御装置は、前記空調端末の運転要求に基づき運転される前記空調端末の種類を判定する端末判定手段を有し、前記冷房運転の際に、前記端末判定手段が前記空調端末として輻射式端末が運転されると判定した場合、前記制御装置は、前記圧縮機の回転数が予め設定された高回転数域であれば前記戻り温度制御を実行し、前記圧縮機の回転数が予め設定された中回転数域であれば前記往き温度制御を実行し、前記圧縮機の回転数が予め設定された低回転数域であれば前記戻り温度制御を実行し、前記端末判定手段が前記空調端末として前記輻射式端末以外が運転されると判定した場合、前記制御装置は、前記戻り温度制御を実行するものとした。
【発明の効果】
【００１１】
この発明の請求項１によれば、冷房運転の際に、空調端末として輻射式端末が運転される場合、制御装置は、圧縮機の回転数が予め設定された高回転数域であれば戻り温度制御を実行し、圧縮機の回転数が予め設定された中回転数域であれば往き温度制御を実行し、圧縮機の回転数が予め設定された低回転数域であれば戻り温度制御を実行し、空調端末として輻射式端末以外が運転される場合、制御装置は、戻り温度制御を実行するものとしたので、冷房運転の際に、空調端末の種類ごとに、前記往き温度制御および前記戻り温度制御のうち最適な制御を実行することができる。
【００１２】
特に、空調端末として輻射式端末が運転される場合、制御装置は、圧縮機の回転数が予め設定された高回転数域であれば、戻り温度制御を実行することで、圧縮機が高回転数域で駆動しているときは、出力が大きく輻射式端末に供給される循環液の往き温度は低下する傾向にあり、被空調空間の輻射式端末周辺の湿気をある程度除湿（すなわち潜熱処理）できると共に、負荷の低下に伴い、高回転数域内で圧縮機の回転数が低下してきたときに効率を向上させることができる。そして、圧縮機の回転数が予め設定された中回転数域であれば、往き温度制御を実行することで、輻射式端末自体がある程度冷え、輻射式端末周辺の温度が安定した状態となる中負荷時において圧縮機が中回転数域で駆動しているときは、輻射式端末への供給温度が目標往き温度となり、低い温度で一定に維持されるため、確実に被空調空間の温度を低下させると共に、被空調空間の湿度が高い状態で安定してしまうことなく、被空調空間の湿度を低下させて快適性を向上させることができる。さらに、圧縮機の回転数が予め設定された低回転数域であれば、戻り温度制御を実行することで、低負荷時において圧縮機が低回転数域で駆動しているときは、被空調空間の温湿度環境が既に整った状態となっていることから、効率重視の戻り温度制御で効率を向上させることができる。また、空調端末として輻射式端末以外、例えば強制対流式端末が運転される場合、送風ファンで被空調空間の空気を循環させることから、運転開始初期の高負荷時に被空調空間の湿気をある程度均一に除湿（すなわち潜熱処理）した後、安定的な運転となるため、高い湿度で快適性が阻害される状況とはなりにくいので、効率重視の戻り温度制御で効率を向上させることができるものである。
【図面の簡単な説明】
【００１３】
【図１】本発明の一実施形態のヒートポンプ式冷水冷房装置の構成例の全体概略構成を示す図。
【図２】メインリモコン装置の外観構造を表す図。
【図３】室外機の冷房運転時における冷凍サイクルを模式的に表した図。
【図４】室外機制御部の主たる機能を表す機能的構成図。
【図５】圧縮機回転数と空調端末の種類別推奨制御態様との対応関係を示す図。
【図６】冷房運転時において圧縮機制御部および膨張弁制御部が実行する制御手順を表すフローチャート。
【図７】図１に示す構成例における冷房運転挙動の一例を表すタイムチャート。
【図８】室外機制御部の主たる機能を表す他の機能的構成図。
【発明を実施するための形態】
【００１４】
次に、本発明の一実施の形態を図面に基づいて説明する。
【００１５】
＜ヒートポンプ式冷水冷房装置の一例の構成＞
本実施形態のヒートポンプ装置の構成例の全体概略構成を図１に示す。図１において、このヒートポンプ装置１００は、室外に設置されるヒートポンプ式熱源機としての室外機１と、この室外機１に対し冷温水往き管２及び冷温水戻り管３を介して接続されて室内に設置される、少なくとも１つの空調端末、この例では、ドレン水処理機能を有する輻射式端末である（但し自然対流による吸放熱機能も併せ持つ）冷温水パネル５１と、ドレン水処理機能を有する強制対流式端末であるファンコイルユニット５２との２つを有する。なお、このヒートポンプ装置１００は、ヒートポンプ式温水暖房装置およびヒートポンプ式冷水冷房装置として機能させることができるが、この実施形態においては主にヒートポンプ式冷水冷房装置として使用している場合の構成要素および動作について説明する。
【００１６】
前記冷温水パネル５１は、室外機１で冷却された循環液を用いて、被空調空間である室内の空気に対し吸熱を行い、当該室内の冷房を行う。
【００１７】
前記ファンコイルユニット５２は、その内部に、熱交換器（図示せず）、送風ファン（図示せず）、熱動弁Ｖ３、室内温度を検出する室内温度センサ（図示せず）、ファンコイルユニット５２内を流通する循環液の温度を検出する水温センサ（図示せず）、および端末制御部２９等を備えている。端末制御部２９は、ファンコイルユニット５２内部の前記室内温度センサの信号や端末用リモコン装置ＲＣ（後述）からの信号を受け、前記送風ファンや前記熱動弁Ｖ３の駆動を制御する。これにより、ファンコイルユニット５２は、前記室外機１で冷却された循環液を、内部の前記熱交換器に通水させると共に、前記送風ファンを駆動させて室内空気と熱交換させ、室内の冷房を行う。
【００１８】
前記冷温水パネル５１はＡ室及びＢ室のうち、前記Ａ室に配置されており、前記ファンコイルユニット５２は前記Ｂ室に配置されている。そして、室外機１から延びる冷温水往き管２の途中に１つの往きヘッダ９１が設けられており、冷温水往き管２のうち前記往きヘッダ９１より上流側部分は、１つの共通往き管２Ａとして構成され、前記室外機１からの循環液が供給される。そして、冷温水往き管２のうち前記往きヘッダ９１より下流側部分２Ｂは、複数（この例では２つ）の往き管、すなわち、前記冷温水パネル５１への往き管２Ｂ１と、前記ファンコイルユニット５２への往き管２Ｂ２と、に分岐する形で前記往きヘッダ９１に接続されている。
【００１９】
同様に、前記室外機１へと延びる前記冷温水戻り管３の途中に１つの戻りヘッダ９２が設けられており、冷温水戻り管３のうち前記戻りヘッダ９２より上流側部分３Ｂは、複数（この例では２つ）の戻り管、すなわち、前記冷温水パネル５１からの戻り管３Ｂ１と、前記ファンコイルユニット５２からの戻り管３Ｂ２と、に分かれている。そして、冷温水戻り管３のうち前記戻りヘッダ９２より下流側部分は、１つの共通戻り管３Ａとして構成され（すなわち分岐された戻り管３Ｂ１、３Ｂ２が共通戻り管３Ａの上流側に集結する形で戻りヘッダ９２に接続されている）、前記戻り管３Ｂ１、３Ｂ２を介し導入された循環液を前記室外機１へと戻す。
【００２０】
そして、前記冷温水パネル５１への往き管２Ｂ１には、熱動弁コントローラＣＶからの駆動信号により往き管２Ｂ１を開閉可能な熱動弁Ｖ１が設けられている。この例では、前記Ａ室に、前記冷温水パネル５１の冷房運転操作を行うための、設定操作手段としてのメインリモコン装置ＲＭが設けられている。また、この例では、前記Ｂ室に、前記ファンコイルユニット５２を遠隔制御するためのワイヤレス式の端末用リモコンＲＣが設けられている。なお、前記メインリモコン装置ＲＭは操作手段に相当している。
【００２１】
前記メインリモコン装置ＲＭは、ユーザの操作に対応して制御信号ＳＳ１を出力する。この制御信号ＳＳ１は、前記室外機１の制御を行う室外機制御部ＣＵ（後述）へと入力され、これによって前記共通往き管２Ａへ供給される冷温水の流量や温度等が制御されると共に、さらにこれに対応して前記室外機制御部ＣＵから前記熱動弁コントローラＣＶに制御信号ＳＳ２が出力され、これに応じて熱動弁コントローラＣＶから出力される制御信号Ｓ１によって熱動弁Ｖ１の開閉動作が制御可能である。また、前記メインリモコン装置ＲＭでの操作に対応して出力される制御信号Ｓｍは前記熱動弁コントローラＣＶへと入力され、これに応じて熱動弁コントローラＣＶから出力される制御信号Ｓ１によって前記熱動弁Ｖ１の開閉動作が制御可能である。
【００２２】
一方、前記冷温水パネル５１からの戻り管３Ｂ１には、戻り温度センサ５４が設けられている。戻り温度センサ５４は、対応する戻り管３Ｂ１における冷水の温度（戻り温度）を検出し、検出結果を表す検出信号を前記熱動弁コントローラＣＶへと出力する。
【００２３】
熱動弁コントローラＣＶは、前記メインリモコン装置ＲＭの操作に対応しつつ、前記戻り温度センサ５４により検出される前記戻り温度に基づき、前記熱動弁Ｖ１の開閉制御を行う（詳細は後述）。これにより、ユーザは、リモコン装置ＲＭを適宜に操作することで前記冷温水パネル５１の運転状態を制御可能となる。
【００２４】
前記端末用リモコン装置ＲＣは、ファンコイルユニット５２に室内を暖房する暖房運転を行わせるための暖房指示手段としての暖房スイッチ２４と、ファンコイルユニット５２に室内を冷房する冷房運転を行わせるための冷房指示手段としての冷房スイッチ２５と、ファンコイルユニット５２の運転を停止させる停止スイッチ２６と、室内温度を設定する室内温度設定スイッチ２７と、室内の設定温度や運転状態を表示する表示部２８とを備え、前記端末制御部２９に対し通信可能とされている。
【００２５】
＜メインリモコン装置＞
次に、前記図１に示した、前記メインリモコン装置ＲＭの詳細について、説明する。
【００２６】
図２に、前記メインリモコン装置ＲＭの外観を示す。メインリモコン装置ＲＭには、表示部２５０と、前記室外機１と前記空調端末（冷温水パネル５１）の運転開始・停止を指示するための「運転／停止」ボタン２５３と、前記空調端末に対しタイマーによる運転を指示するための「タイマー」ボタン２５４と、前記空調端末の運転態様（冷房・暖房や通常モード・セーブモード等）の切換を指示する「運転切換」ボタン２５５と、画面表示を１つ前の画面に戻すための「戻る」ボタン２５７と、「メニュー／決定」ボタン２５８と、上下左右方向への十字キー２５９と、が備えられている。なお、前記「運転／停止」ボタン２５３、前記「タイマー」ボタン２５４、前記「運転切換」ボタン２５５、前記「戻る」ボタン２５７と、及び、前記「メニュー／決定」ボタン２５８を、以下適宜、単に「操作ボタン２５３等」と称し、さらにこれら操作ボタン２５３等と前記十字キー２５９とを総称して、単に「操作部２５９等」と称する。なお、図示を省略しているが、メインリモコン装置ＲＭには、ＣＰＵや記憶手段としてのメモリ等が内蔵されている。
【００２７】
前記表示部２５０は、前記ＣＰＵの制御により、各種画面を切り替えて表示することができる。図示の例では、表示部２５０には、循環液（温水・冷水）の温度設定や冷房・暖房切換等を含む、図１に示した前記ヒートポンプ装置１００全体に係わる設定を行うための設定画面２００が表示されている。この設定画面２００は、中央に配置され、ヒートポンプ装置１００全体の運転状態を表す運転状態表示領域２００Ａと、右端に配置され、前記室外機１からヒートポンプ装置１００全体に供給される循環液の設定温度（温度レベルの数値に相当。ユーザが前記操作部２５９等を用いて設定可能）を表示する温度設定表示領域２００Ｂと、を備えている。
【００２８】
図示の例では、前記運転状態表示領域２００Ａには、前記室外機１から冷却された循環液が供給されヒートポンプ装置１００全体として冷房運転が行われている状態を表す「冷水冷房  運転中」の表示がなされている。また前記温度設定表示領域２００Ｂには、冷房用にユーザが予め（可変に）設定した温水の設定温度「１５℃」が表示されている。
【００２９】
＜室外機の構成＞
次に、前記室外機１の概略的なシステム構成を図３に示す。図３において、室外機１は、例えばＨＦＣなどの合成化合ガスを冷媒として循環させ室外での吸放熱を行う冷媒循環回路２１と、例えば不凍液などを循環液として循環させ前記空調端末（図１の例では冷温水パネル５１及びファンコイルユニット５２の２つ）での吸放熱を行う（前記冷温水往き管２及び前記冷温水戻り管３からなる）冷温水循環回路２２と、の間における熱交換を行う、ヒートポンプ式熱源機である。
【００３０】
すなわち、前記冷媒循環回路２１は、前記室外機１に備えられた、前記冷媒の循環方向を切り替える四方弁６と、前記冷媒を圧縮する圧縮機７と、前記冷媒と外気との熱交換を行う室外熱交換器８（熱源側熱交換器に相当）と、前記冷媒を減圧膨張させる膨張弁９（減圧手段に相当）と、前記冷温水往き管２及び前記冷温水戻り管３を循環する前記循環液と前記冷媒との熱交換を行う水−冷媒熱交換器１１（負荷側熱交換器に相当）とを、冷媒配管１５で接続して形成されている。また、前記室外熱交換器８に送風する室外ファン１０がさらに設けられている。
【００３１】
前記四方弁６は４つのポートを備える弁であり、（前記冷媒配管１５の一部を構成する）冷媒主経路１５ａ用の２つのポートのそれぞれに対して、（前記冷媒配管１５の一部を構成する）他の冷媒副経路１５ｂ用の２つのポートのいずれに接続するかを切り替える。冷媒副経路１５ｂ用の２つのポートどうしはループ状に配置された冷媒副経路１５ｂで接続されており、この冷媒副経路１５ｂ上に前記圧縮機７が設けられている。
【００３２】
前記圧縮機７は、低圧ガス状態の冷媒を昇圧して高圧ガス状態にするとともに、室外機１内における冷媒配管１５全体の冷媒を循環させるポンプとしても機能する。なお、前記圧縮機７の吐出側における前記冷媒副経路１５ｂには、吐出温度センサ５５が設けられ、圧縮機７から吐出される冷媒の温度（冷媒吐出温度）を検出し、検出結果を表す検出信号を後述の室外機制御部ＣＵへと出力する。また、膨張弁９と水−冷媒熱交換器１１との間の前記冷媒主経路１５ａには、冷媒温度センサ５７が設けられ、膨張弁９と水−冷媒熱交換器１１との間を流通する冷媒の温度を検出し、検出結果を表す検出信号を後述の室外機制御部ＣＵへと出力する。
【００３３】
また、前記四方弁６の冷媒主経路１５ａ用の２つのポートどうしは、ループ状に配置された前記冷媒主経路１５ａで接続されており、この冷媒主経路１５ａ上に前記室外熱交換器８、前記膨張弁９、及び前記水−冷媒熱交換器１１が設けられている。
【００３４】
前記室外熱交換器８は、その内部を通過する液体状態の前記冷媒の温度が室外の外気温度より低い場合は外気の熱を冷媒に吸熱してガス状態に蒸発させる蒸発器として機能する。また、その内部を通過するガス状態の前記冷媒の温度が室外の外気温度より高い場合は、その冷媒の熱を放熱して液体状態に凝縮させる凝縮器として機能する。なお、本実施形態では、前記室外熱交換器８は凝縮器として機能する。
【００３５】
前記室外ファン１０は、前記室外熱交換器８に対して送風することで、室外熱交換器８の性能を向上させる。
【００３６】
前記膨張弁９は、高圧液体状態の前記冷媒を減圧膨張させて低圧液体状態とするよう機能する。
【００３７】
水−冷媒熱交換器１１は、前記のように冷媒主経路１５ａに接続されてその内部に冷媒を通過させるとともに、前記冷温水往き管２及び前記冷温水戻り管３にも接続されてその内部に循環液を通過させる。水−冷媒熱交換器１１の内部を通過するガス状態の冷媒の温度が循環液の温度より高い場合は、冷媒に対してその熱を循環液に放熱し液体状態に凝縮させる凝縮器として機能する。また、水−冷媒熱交換器１１の内部を通過する液体状態の冷媒の温度が循環液の温度より低い場合は、冷媒に対して循環液の熱を吸熱しガス状態に蒸発させる蒸発器として機能する。なお、本実施形態では、前記水−冷媒熱交換器１１は蒸発器として機能する。
【００３８】
一方、前記冷温水循環回路２２は、前記室外機１に備えられた、前記水−冷媒熱交換器１１、前記循環液に循環圧力を加える循環ポンプ１２、及びシスターンタンク１３と、前記空調端末（冷温水パネル５１及びファンコイルユニット５２の２つ）とを、前記冷温水往き管２（詳細には共通往き管２Ａ）及び前記冷温水戻り管３（詳細には共通戻り管３Ａ）で接続して形成されている。
【００３９】
前記水−冷媒熱交換器１１は、前記冷温水往き管２及び前記冷温水戻り管３に接続されており、前記冷温水戻り管３上に、前記シスターンタンク１３及び前記循環ポンプ１２が設けられている。
【００４０】
前記シスターンタンク１３は、キャビテーションなどで循環液中に生じた気泡の分離（気水分離機能）と、前記冷温水循環回路２２における膨張した循環液の吸収及び循環液の補給を行う。
【００４１】
前記循環ポンプ１２は、前記冷温水往き管２及び前記冷温水戻り管３全体に循環液を循環させるよう機能する。
【００４２】
なお、前記水−冷媒熱交換器１１の出口側（流出側）の前記冷温水往き管２（詳細には共通往き管２Ａ）には、往き温度決定手段としての往き温度センサ５６Ａが設けられ、共通往き管２Ａにおける循環液の温度（往き温度）を決定（この例では検出。以下同様）し、検出結果を表す検出信号を後述の室外機制御部ＣＵへと出力する。また、前記水−冷媒熱交換器１１の入口側（流入側）の前記冷温水戻り管３（詳細には共通戻り管３Ａ）には、戻り温度決定手段としての戻り温度センサ５６Ｂが設けられ、共通戻り管３Ａにおける循環液の温度（戻り温度）を決定（この例では検出。以下同様）し、検出結果を表す検出信号を後述の室外機制御部ＣＵへと出力する。
【００４３】
そして、室外機１は、当該室外機１の制御を行う室外機制御部ＣＵを備えている。この室外機制御部ＣＵは、主にＣＰＵ、ＲＯＭ、ＲＡＭ等を備えたマイクロコンピュータで構成されている。室外機制御部ＣＵと前記メインリモコン装置ＲＭとの間は、双方向通信線で接続されており、信号のやりとりを相互に行うことができる（図１参照）。これにより、室外機制御部ＣＵは、図１に示すように、前記メインリモコン装置ＲＭからの前記制御信号ＳＳ１に基づいて室外機１全体の制御を行う（詳細は後述）とともに、対応する前記制御信号ＳＳ２を前記熱動弁コントローラＣＶに出力する。
【００４４】
なお、図１に示した構成例においては特に、前記室外機制御部ＣＵと前記ファンコイルユニット５２の前記端末制御部２９との間が、例えば、端末制御部２９からの信号を一方向に伝える端末制御線（いわゆるＥ−ｃｏｎ通信線）で接続されている。例えば前記端末用リモコン装置ＲＣの前記暖房スイッチ２４（又は前記冷房スイッチ２５）がユーザにより操作され運転開始の指示がなされると、端末制御部２９は、その指示信号を受信する。そして、受信した指示信号に応じて、端末制御部２９は、室外機制御部ＣＵに対し、暖房運転に関連する温水要求信号（または冷房運転に関連する冷水要求信号）ＳＣを出力する（図３中の想像線参照）。なお、前記運転開始された後、当該暖房又は冷房を停止する際には、ユーザによる適宜の停止指示操作（例えば停止スイッチ２６が押される等）がなされることで、端末制御部２９は、室外機制御部ＣＵに対し、暖房運転（または冷房運転）の停止要求信号（図示省略）を出力する。
【００４５】
また、図１に示した構成例で前記のようにファンコイルユニット５２を設ける場合、ファンコイルユニット５２を、前記端末用リモコン装置ＲＣによって操作する構成には限られない。すなわち、ファンコイルユニット５２自体に、前記端末用リモコン装置ＲＣのスイッチと同等の機能を有するスイッチや表示部を設け、端末用リモコン装置ＲＣを省略しても良い。この場合、そのファンコイルユニット５２のスイッチ等がユーザにより操作されることで運転開始の指示がなされると、前記端末制御部２９がその指示信号を受信し、室外機制御部ＣＵに対し前記温水要求信号（または前記冷水要求信号）ＳＣを出力する。同様に、ファンコイルユニット５２の前記スイッチ等を用いてユーザによる停止指示操作がなされることで、前記端末制御部２９は室外機制御部ＣＵに対し暖房運転（または冷房運転）の前記停止要求信号を出力する。
【００４６】
上記構成の冷媒循環回路２１において、前記圧縮機７は冷媒副経路１５ｂ上において一方向に冷媒を循環させるものであり、前記図３は図１に示した構成例における冷房運転時の循環方向を示しており、圧縮機７から吐出した冷媒が室外熱交換器８、膨張弁９、水−冷媒熱交換器１１の順で流通する。これにより、低温・低圧で吸入されたガス状態の冷媒が前記圧縮機７で圧縮されて高温・高圧のガスとなった後、前記室外熱交換器８（凝縮器として機能）において前記室外ファン１０の送風で冷却されることで外気に熱を放出しながら高圧の液体に変化する。こうして液体になった冷媒は前記膨張弁９で減圧されて低圧の液体となり蒸発しやすい状態となる。その後、低圧の液体が前記水−冷媒熱交換器１１（蒸発器として機能）において蒸発してガスに変化することで前記冷温水戻り管３からの循環液（冷水）から吸熱を行う。そして冷媒は、低温・低圧のガスとして再び前記圧縮機７へと戻る。
【００４７】
このとき、前記のようにして水−冷媒熱交換器１１で冷却された循環液（冷水）は、冷温水往き管２から前記空調端末（冷温水パネル５１、ファンコイルユニット５２）に供給されて室内空気から吸熱して室内を冷却し、その後に前記シスターンタンク１３を通過して再び前記循環ポンプ１２へ戻る。以上のような冷媒循環回路２１の冷凍サイクルと冷温水循環回路２２との間で熱交換を行うことにより、室内空気の温度を下げる冷房運転が行われる。
【００４８】
＜室外機制御部＞
次に、前記室外機制御部ＣＵの主たる機能的構成を図４により説明する。
【００４９】
図４に示すように、前記室外機制御部ＣＵは、圧縮機制御部６１と、膨張弁制御部６２とを機能的に備えている。なお、前記室外機制御部ＣＵは制御装置に相当している。
【００５０】
圧縮機制御部６１は、往き温度制御部６１Ａと、戻り温度制御部６１Ｂと、を備えている。
【００５１】
往き温度制御部６１Ａは、前記往き温度センサ５６Ａにより検出された循環液の前記往き温度に応じて前記圧縮機７の回転数を制御する、いわゆる往き温度制御を行う。特にこの例では、往き温度制御部６１Ａは、前記往き温度センサ５６Ａにより検出される前記往き温度が、例えば前記メインリモコン装置ＲＭにおける前記操作部２５９等の操作に対応して設定（詳細は省略）される所望の目標温度（目標往き温度）となるように、前記圧縮機７の回転数を制御する。この往き温度制御は、前記空調端末への供給温度が一定となることから、当該空調端末の出力を保ちやすい。
【００５２】
なお、往き温度制御部６１Ａは、前記往き温度センサ５６Ａにより検出される前記往き温度と目標往き温度との温度差から負荷の大きさを判断し、その負荷の大きさに応じて、圧縮機７の回転数を増減制御する、すなわち、前記往き温度センサ５６Ａにより検出される前記往き温度が目標往き温度に達していない場合は、室外機１（ヒートポンプ式熱源機）の出力が、負荷よりも小さく出力が不足している状態ということであり、この場合、は圧縮機７の回転数を増加させて室外機１（ヒートポンプ式熱源機）の出力を上げる。一方、前記往き温度センサ５６Ａにより検出される前記往き温度が目標往き温度に到達してきたら、前記往き温度センサ５６Ａにより検出される前記往き温度を前記目標往き温度に維持するために、室外機１（ヒートポンプ式熱源機）の出力と負荷がつりあうように圧縮機７の回転数を減少させる。また、往き温度制御部６１Ａは、負荷の変動によっても圧縮機７の回転数を増減制御するものであり、負荷が減少すれば圧縮機７の回転数を減少させ、負荷が増加すれば圧縮機７の回転数を増加させる。
【００５３】
戻り温度制御部６１Ｂは、前記戻り温度センサ５６Ｂにより検出された循環液の前記戻り温度に応じて前記圧縮機７の回転数を制御する、いわゆる戻り温度制御を行う。特にこの例では、戻り温度制御部６１Ｂは、前記戻り温度センサ５６Ｂにより検出される前記戻り温度が、例えば前記メインリモコン装置ＲＭにおける前記操作部２５９等の操作に対応して設定（詳細は後述）される所望の目標温度（目標戻り温度）となるように、前記圧縮機７の回転数を制御する。この戻り温度制御は、負荷に応じてなりゆきで往き温度が変化し、低負荷の場合、冷房運転の時には往き温度を高くすることができるので、前記ヒートポンプ装置１００の効率向上を図ることができる。
【００５４】
なお、戻り温度制御部６１Ｂは、前記戻り温度センサ５６Ｂにより検出される前記戻り温度と目標戻り温度との温度差から負荷の大きさを判断し、その負荷の大きさに応じて、圧縮機７の回転数を増減制御する、すなわち、前記戻り温度センサ５６Ｂにより検出される前記戻り温度が目標戻り温度に達していない場合は、室外機１（ヒートポンプ式熱源機）の出力が、負荷よりも小さく出力が不足している状態ということであり、この場合は圧縮機７の回転数を増加させることで、室外機１（ヒートポンプ式熱源機）の出力を上げる。一方、前記戻り温度センサ５６Ｂにより検出される前記戻り温度が目標戻り温度に到達してきたら、前記戻り温度センサ５６Ｂにより検出される前記戻り温度を前記目標戻り温度に維持するために、室外機１（ヒートポンプ式熱源機）の出力と負荷がつりあうように圧縮機７の回転数を減少させる。また、戻り温度制御部６１Ｂは、負荷の変動によっても圧縮機７の回転数を増減制御するものであり、負荷が減少すれば圧縮機７の回転数を減少させ、負荷が増加すれば圧縮機７の回転数を増加させる。
【００５５】
膨張弁制御部６２は、前記吐出温度センサ５５により検出された前記冷媒吐出温度に応じて、前記膨張弁９の弁開度を制御する。特にこの例では、膨張弁制御部６２は、吐出温度センサ５５により検出される前記冷媒吐出温度が、例えば前記メインリモコン装置ＲＭの操作に対応して適宜に設定（詳細は省略）される適宜の目標吐出温度となるように、前記膨張弁９の弁開度を制御する。
【００５６】
ここで、前記した冷温水パネル５１、ファンコイルユニット５２のように、一般に前記空調端末としては種々のものが存在する。このとき、空調端末の種類によって、運転時（冷房運転）に、その特性上、前記した往き温度制御と、戻り温度制御とを使い分けた方がよい場合がある。このことを図５により説明する。
【００５７】
図５において、例えば、強制対流式端末の一種である、前記図１に示した前記ファンコイルユニット５２で冷房運転が行われる場合、前記送風ファンで室内空気を循環させることから、運転開始初期の高負荷時に室内の湿気をある程度均一に除湿（すなわち潜熱処理）した後、安定的な運転となる。したがって、効率向上を主眼として前記戻り温度制御を行ったとしても、高い湿度で快適性が阻害される状況とはなりにくい。よって、強制対流式端末が運転する場合、負荷の大きさに関係なく、つまり、圧縮機７の回転数に関係なく、効率を重視した戻り温度制御が常時実行されるのが好ましい。
【００５８】
これに対して、例えば輻射式端末の一種である、前記図１に示した前記冷温水パネル５１で冷房運転が行われる場合、運転開始初期の高負荷時は、圧縮機７が高回転数域で駆動し出力も大きく、冷温水パネル５１周辺の湿気をある程度除湿（すなわち潜熱処理）できるが、冷温水５１パネル自体がある程度冷えてくると、負荷が減少しているとして、室内の温度が下がりきっていなくても圧縮機７の回転数を低下させていく。この場合、仮に前記戻り温度制御を行ったとすると、パネル自体がある程度冷えたタイミングで（まだ室内の温度が下がってなくても）、パネルに供給される循環液の往き温度がなりゆきで上昇していくことになり、室内の温度が低下しにくくなる結果、室内の湿度が下がりきらず不快な状況を招く。したがって、冷温水パネル５１が冷房運転を行う場合は、室内の湿度を下げるために、往き温度制御を行った方がよい場面が存在する。
【００５９】
そこで、冷温水パネル５１で冷房運転が行われる場合、図５に示すように、現在の圧縮機７の回転数が予め設定された高回転数域のゾーンＡに該当するときは、圧縮機制御部６１は戻り温度制御部６１Ｂに前記戻り温度制御を実行させ、現在の圧縮機７の回転数が予め設定された中回転数域のゾーンＢに該当するときは、圧縮機制御部６１は往き温度制御部６１Ａに前記往き温度制御を実行させ、現在の圧縮機７の回転数が予め設定された低回転数域のゾーンＣに該当するときは、圧縮機制御部６１は戻り温度制御部６１Ｂに前記戻り温度制御を実行させる。
【００６０】
前記冷温水パネル５１による冷房運転の際、高負荷時において、圧縮機７が高回転数域（ゾーンＡ）で駆動しているときは、出力が大きく冷温水パネル５１に供給される循環液の往き温度は低下する傾向にあり、冷温水パネル５１周辺の湿気をある程度除湿（すなわち潜熱処理）できるということと、負荷の低下に伴い、高回転数域（ゾーンＡ）内で圧縮機７の回転数が低下してきたとき（出力が低下してきたとき）に少しでも効率を向上させるためにということから前記戻り温度制御を実行させる。そして、冷温水パネル５１自体がある程度冷え、冷温水パネル５１周辺の温度が安定した状態である、中負荷時において、圧縮機７が中回転数域（ゾーンＢ）で駆動しているときは、快適性を向上させるために室内の湿度をさらに下げる必要があることから、室内の温度が低下するように冷温水パネル５１に供給される循環液の往き温度が低い温度で維持される前記往き温度制御を実行させる。さらに、室内全体の温度が低下し、低負荷時において、圧縮機７が低回転数域（ゾーンＣ）で駆動しているときは、室内の温湿度環境が整った状態となっていることから、効率を重視して前記戻り温度制御を実行させる。
【００６１】
なお、図５に示すように、各回転数ゾーン同士の境界にはヒステリシスが設けられており、圧縮機７の回転数が小さくなる方向に回転数ゾーンが切り換わる場合の各回転数ゾーン同士の境界と、圧縮機７の回転数が大きくなる方向に回転数ゾーンが切り換わる場合の各回転数ゾーン同士の境界とが異なる。すなわち、圧縮機７の回転数が大きい高回転数域（ゾーンＡ）から回転数が小さくなる側に隣接する中回転数域（ゾーンＢ）へ切り換わるときの境界は６５ｒｐｓである（言い換えれば、圧縮機７の回転数が大きい状態から徐々に低下してきて６５ｒｐｓになると、ゾーンＡからゾーンＢに切り換わる）。同様に、圧縮機７の回転数が中回転数域（ゾーンＢ）から低回転数域（ゾーンＣ）へ切り換わるときの境界は３５ｒｐｓである。
【００６２】
逆に、圧縮機７の回転数が小さい低回転数域（ゾーンＣ）から回転数が大きくなる側に隣接する中回転数域（ゾーンＢ）へ切り換わるときの境界は４０ｒｐｓである（言い換えれば、圧縮機７の回転数が小さい状態から徐々に上昇してきて４０ｒｐｓになると、ゾーンＣからゾーンＢに切り換わる）。同様に、圧縮機７の回転数が中回転数域（ゾーンＢ）から高回転数域（ゾーンＡ）へ切り換わるときの境界は７０ｒｐｓである。
【００６３】
本実施形態では、上記に鑑みて、冷温水往き管２及び冷温水戻り管３を介し、前記室外機１に対し、どのような種類の空調端末が接続されるか、に応じて、前記室外機制御部ＣＵの前記圧縮機制御部６１が、前記往き温度制御部６１Ａによる前記往き温度制御を行うか、前記戻り温度制御部６１Ｂによる前記戻り温度制御を行うか、を切り替える。以下、その手法の詳細を、図６のフローチャートを用いて順を追って説明する。
【００６４】
＜圧縮機制御部の制御＞
まず、冷房運転時の圧縮機制御部６１による制御手順を図６（ａ）のフローチャートに示す。図６（ａ）において、まずステップＳ１で、圧縮機制御部６１は、前記室外機１が運転開始状態となったか否かを判定する。具体的には、運転開始状態とは、例えば、前記メインリモコン装置ＲＭや前記端末用リモコン装置ＲＣを介しユーザによる適宜の室外機１の運転開始操作がなされることで停止状態から起動される場合、若しくは、運転停止後から再起動して室外機１の運転が再び開始される場合である。運転開始状態となるまではステップＳ１の判定が満たされず（Ｓ１：ＮＯ）ループ待機し、運転開始状態となるとステップＳ１の判定が満たされ（Ｓ１：ＹＥＳ）、ステップＳ２に移る。
【００６５】
ステップＳ２では、圧縮機制御部６１は、室外機１が運転終了状態となったか否かを判定する。すなわち、後述のような回転数の制御の下で冷房運転を行って冷房負荷が小さくなると、前記室外機１を動作させずとも、前記戻り温度センサ５６Ｂで検出される前記戻り温度が前記目標戻り温度以上に達する場合がある。この場合は、前記室外機制御部ＣＵによる公知の制御により室外機１が停止され、待機状態となる（すなわち、いったん室外機１の運転が終了される）。ステップＳ２では、圧縮機制御部６１は、室外機１がこの待機状態となったか否かを判定するものである。運転終了状態（すなわち待機状態）となっていた場合はステップＳ２の判定が満たされ（Ｓ２：ＹＥＳ）、このフローを終了する。一方、運転終了状態（すなわち待機状態）となっていない間はステップＳ２の判定は満たされず（Ｓ２：ＮＯ）、ステップＳ３に移る。
【００６６】
ステップＳ３では、圧縮機制御部６１は、前記冷温水パネル５１の運転要求があったか否かを判定する。この前記冷温水パネル５１の運転要求があったか否かの判定は、例えば前記メインリモコン装置ＲＭから出力される制御信号ＳＳ１として、冷温水パネル５１の運転要求を示す識別信号を室外機制御部ＣＵが取得（但し図１における図示は省略）した場合に、前記冷温水パネル５１の運転要求があったと判定する、または前記メインリモコン装置ＲＭと冷温水パネル５１との対応付けを予め行っておき（初期設定時に接続される空調端末を登録する等）、前記メインリモコン装置ＲＭから出力される制御信号ＳＳ１を室外機制御部ＣＵが取得した場合に、その信号が冷温水パネル５１からの運転要求だとして前記冷温水パネル５１の運転要求があったと判定する、または熱動弁Ｖ１に対応する空調端末が冷温水パネル５１であることを室外機制御部ＣＵに記憶しておき、前記熱動弁コントローラＣＶから熱動弁Ｖ１への制御信号Ｓ１を室外機制御部ＣＵが取得した場合に、前記冷温水パネル５１の運転要求があったと判定する等の、公知の手法で行えば足りる。冷温水パネル５１の運転要求がある場合は、判定が満たされ（Ｓ３：ＹＥＳ）、ステップＳ４に移る。なお、ステップＳ３の判定が満たされる場合とは、図１の構成例でいうと少なくとも冷温水パネル５１の運転要求がある場合であり、冷温水パネル５１とファンコイルユニット５２の双方の運転要求がある場合もステップＳ３の判定が満たされる。
【００６７】
ステップＳ４では、圧縮機制御部６１は、現在の圧縮機７の回転数（指示回転数または実回転数）が図５で示したゾーンＡ〜Ｃのどの回転数域であるのかを判断し、ここでは、現在の圧縮機７の回転数が中回転数域（ゾーンＢ）か否か判定する。現在の圧縮機７の回転数が中回転数域（ゾーンＢ）である場合は、判定が満たされ（Ｓ４：ＹＥＳ）、ステップＳ５に移る。
【００６８】
ステップＳ５では、圧縮機制御部６１は、往き温度制御部６１Ａにより、循環液（冷水）の設定温度（前記した、メインリモコン装置ＲＭで前記操作部２５９等の操作により適宜に設定された温度）に基づき、公知の手法（前記設定温度に対し目標往き温度を一意的に決定できる）により、対応する前記目標往き温度を算出・設定し、ステップＳ６に移る。なお、このステップＳ５を実行する圧縮機制御部６１の往き温度制御部６１Ａが目標往き温度を設定する目標往き温度設定手段として機能し、目標往き温度は例えば設定温度と同温度に設定される。
【００６９】
ステップＳ６では、圧縮機制御部６１は、前記往き温度制御部６１Ａにより、この時点で前記往き温度センサ５６Ａから検出された循環液の前記往き温度が、前記ステップＳ５で設定された前記目標往き温度を上回っているか否かを判定する。往き温度が目標往き温度を上回っている場合、判定が満たされ（Ｓ６：ＹＥＳ）、ステップＳ７に移る。ステップＳ７では、圧縮機制御部６１は、前記往き温度制御部６１Ａにより、前記圧縮機７の回転数を増大する。その後、前記ステップＳ２に戻って同様の手順を繰り返す。
【００７０】
前記ステップＳ６の判定において、前記往き温度が前記目標往き温度以下である場合、判定は満たされず（Ｓ６：ＮＯ）、ステップＳ８に移る。ステップＳ８では、圧縮機制御部６１は、前記往き温度制御部６１Ａにより、前記圧縮機７の回転数を低減する。その後、前記ステップＳ２に戻って同様の手順を繰り返す。
【００７１】
以上のようにして、冷温水パネル５１の運転要求がある間であって、圧縮機７の回転数が中回転数域（ゾーンＢ）である場合は、ステップＳ３→ステップＳ４→ステップＳ５→ステップＳ６→ステップＳ７またはステップＳ８→ステップＳ２→ステップＳ３・・・が繰り返されることで、目標往き温度と往き温度との大小に応じた圧縮機回転数増減制御が実行、すなわち、前記往き温度が前記目標往き温度に一致するよう圧縮機７の回転数を制御する往き温度制御が、前記往き温度制御部６１Ａによって実行される。
【００７２】
一方、前記ステップＳ３で冷温水パネル５１の運転要求がない場合、判定が満たされず（Ｓ３：ＮＯ）、ステップＳ９に移る。ここで、ステップＳ３の判定が満たされない場合とは、図１の構成例でいうと少なくとも冷温水パネル５１の運転要求がない場合であり、冷温水パネル５１の運転要求がなく、ファンコイルユニット５２が単独で運転要求がある場合（端末制御部２９から出力される制御信号Ｓｃとしてファンコイルユニット５２の運転要求を示す識別信号を室外機制御部ＣＵが取得した場合等）には、ステップＳ３の判定が満たされず、（Ｓ３：ＮＯ）、ステップＳ９に移る。なお、このステップＳ３を実行する圧縮機制御部６１が、空調端末（冷温水パネル５１、ファンコイルユニット５２）の運転要求（運転される空調端末を表す信号）に基づき、運転される空調端末の種類を判定する端末判定手段として機能する。
【００７３】
ステップＳ９では、圧縮機制御部６１は、戻り温度制御部６１Ｂにより、循環液（冷水）の設定温度（前記した、メインリモコン装置ＲＭで前記操作部２５９等の操作により適宜に設定された温度）に基づき、公知の手法により（例えば、予め設定された、前記設定温度から目標戻り温度を一意的に決定する所定の規則に基づき）、対応する前記目標戻り温度を算出・設定し、ステップＳ１０に移る。
【００７４】
前記所定の規則としては、前記空調端末に供給する温度レベルの数値そのものである、前記メインリモコン装置ＲＭで設定された前記設定温度Ｔｓに所定の数値αを加算した加算値Ｔｓ＋αを、前記目標戻り温度Ｔｍとして設定することができる。このとき具体的には、Ｔｓが６℃〜２０℃の範囲において、αは、５℃〜１５℃の範囲の適宜の１つの値が適用される。αにいずれの値を適用するかについては前記メインリモコン装置ＲＭにおいて所望に選択可能としてもよいし、αが予め５℃〜１５℃の範囲の中の適宜の値に固定的に設定されていてもよい。
【００７５】
なお、前記所定の規則は、前記のように冷水の温度値そのものの数値から所定の数値を加算した加算値を目標戻り温度Ｔｍとする手法に限られない。例えば、冷房運転にて設定できる温度レベルとして冷房の強さを表す強・中・弱を用いた場合は、強・中・弱に対応する温度換算値（例えば、強は７、中は１３、弱は２０）を予め記憶しておき、その数値（温度換算値）Ｔｓから所定の数値を加算した加算値を目標戻り温度Ｔｍとする規則としてもよい。あるいは、冷房運転にて設定できる温度レベルとして、冷房の強さを数値で表す例えば１〜９の数値を用いて９段階の冷房の強さを有するものを用いた場合においても、９段階の冷房の強さに対応する温度換算値を予め記憶しておき、その数値（温度換算値）Ｔｓに所定の数値を加算した加算値を目標戻り温度Ｔｍとする規則としてもよい。
【００７６】
なお、このステップＳ９を実行する圧縮機制御部６１の戻り温度制御部６１Ｂが目標戻り温度を設定する目標戻り温度設定手段として機能する。以上のようにして前記目標戻り温度を設定したら、ステップＳ１０へ移り、ステップＳ１０では、圧縮機制御部６１は、前記戻り温度制御部６１Ｂにより、この時点で前記戻り温度センサ５６Ｂから検出された循環液の前記戻り温度が、前記ステップＳ９で設定された前記目標戻り温度を上回っているか否かを判定する。戻り温度が目標戻り温度を上回っている場合、判定が満たされ（Ｓ１０：ＹＥＳ）、ステップＳ１１に移る。ステップＳ１１では、圧縮機制御部６１は、前記戻り温度制御部６１Ｂにより、前記圧縮機７の回転数を増大する。その後、前記ステップＳ２に戻って同様の手順を繰り返す。
【００７７】
前記ステップＳ１０の判定において、前記戻り温度が前記目標戻り温度以下である場合、判定は満たされず（Ｓ１０：ＮＯ）、ステップＳ１２に移る。ステップＳ１２では、圧縮機制御部６１は、前記戻り温度制御部６１Ｂにより、前記圧縮機７の回転数を低減する。その後、前記ステップＳ２に戻って同様の手順を繰り返す。
【００７８】
以上のようにして、冷温水パネル５１の運転要求がなく、冷温水パネル５１以外のファンコイルユニット５２の運転要求がある間は、ステップＳ３→ステップＳ９→ステップＳ１０→ステップＳ１１またはステップＳ１２→ステップＳ２→ステップＳ３・・・が繰り返されることで、目標戻り温度と戻り温度との大小に応じた圧縮機回転数増減制御が実行、すなわち、前記戻り温度が前記目標戻り温度に一致するよう圧縮機７の回転数を制御する戻り温度制御が、前記戻り温度制御部６１Ｂによって実行される。
【００７９】
また、前記ステップＳ４で圧縮機７の回転数が中回転数域（ゾーンＢ）でない場合、判定が満たされず（Ｓ４：ＮＯ）、ステップＳ９に移る。なお、ステップＳ４の判定が満たされない場合とは、圧縮機７の回転数が、図５に示した中回転数域（ゾーンＢ）以外の、高回転数域（ゾーンＡ）または低回転数域（ゾーンＣ）である場合である。
【００８０】
ステップＳ９以降の手順は、上記したのと同様であり、説明を省略するが、冷温水パネル５１の運転要求がある間であって、圧縮機７の回転数が高回転数域（ゾーンＡ）または低回転数域（ゾーンＣ）である場合は、ステップＳ３→ステップＳ４→ステップＳ９→ステップＳ１０→ステップＳ１１またはステップＳ１２→ステップＳ２→ステップＳ３・・・が繰り返されることで、目標戻り温度と戻り温度との大小に応じた圧縮機７の回転数増減制御が実行、すなわち、前記戻り温度が前記目標戻り温度に一致するよう圧縮機７の回転数を制御する戻り温度制御が、前記戻り温度制御部６１Ｂによって実行される。
【００８１】
なお、この図６の前記ステップＳ３、ステップＳ４、ステップＳ５、ステップＳ６、ステップＳ７、ステップＳ８、ステップＳ９、ステップＳ１０、ステップＳ１１、ステップＳ１２を実行する圧縮機制御部６１が、運転される空調端末の種類に基づいて、必要とされる温度制御（前記往き温度制御、前記戻り温度制御）を切り換えて実行する切換制御手段として機能する。
【００８２】
＜膨張弁制御部による制御＞
次に、冷房運転時の膨張弁制御部６２による制御手順を図６（ｂ）のフローチャートに示す。図６（ｂ）において、まずステップＳ１０１で、膨張弁制御部６２は、前記図６（ａ）のステップＳ１と同様にして、前記室外機１が運転開始状態となったか否かを判定する。運転開始状態となるまではステップＳ１０１の判定が満たされず（Ｓ１０１：ＮＯ）ループ待機し、運転開始状態となるとステップＳ１０１の判定が満たされ（Ｓ１０１：ＹＥＳ）、ステップＳ１０２に移る。
【００８３】
ステップＳ１０２では、膨張弁制御部６２は、前記図６（ａ）のステップＳ２と同様にして、前記室外機１が運転終了状態となったか否かを判定する。運転終了状態（すなわち待機状態）となっていた場合はステップＳ１０２の判定が満たされ（Ｓ１０２：ＹＥＳ）、このフローを終了する。一方、運転終了状態（すなわち待機状態）となっていない間はステップＳ１０２の判定は満たされず（Ｓ１０２：ＮＯ）、ステップＳ１０３に移る。
【００８４】
ステップＳ１０３では、膨張弁制御部６２は、この時点で前記吐出温度センサ５５から検出された前記冷媒吐出温度が前記目標吐出温度を下回っているか否かを判定する。冷媒吐出温度が目標吐出温度を下回っている場合、判定が満たされ（Ｓ１０３：ＹＥＳ）、ステップＳ１０４に移る。
【００８５】
ステップＳ１０４では、膨張弁制御部６２は、前記膨張弁９の弁開度を減少させる。その後、前記ステップＳ１０２に戻って同様の手順を繰り返す。
【００８６】
一方、前記ステップＳ１０３の判定において、前記冷媒吐出温度が前記目標吐出温度以上である場合、判定は満たされず（Ｓ１０３：ＮＯ）、ステップＳ１０５に移る。
【００８７】
ステップＳ１０５では、膨張弁制御部６２は、前記膨張弁９の弁開度を増大させる。その後、前記ステップＳ１０２に戻って同様の手順を繰り返す。
【００８８】
以上のようにして、ステップＳ１０３、ステップＳ１０４、及びステップＳ１０５の処理により、前記冷媒吐出温度が前記目標吐出温度に一致するよう膨張弁９の弁開度を制御する、冷媒吐出温度制御が行われる。
【００８９】
＜冷房運転挙動の例＞
次に、図１に示す構成例における、特徴的な冷房運転の挙動の一例を図７により説明する。図示において、図７（ａ）は、前記冷温水パネル５１の運転状態（図中では運転している状態を「ＯＮ」停止している状態を「ＯＦＦ」と表記）の経時推移を示しており、図７（ｂ）は、前記ヒートポンプ装置１００（図中では「ＨＰ」と略記。詳細には前記圧縮機７）の制御態様が前記往き温度制御であるか前記戻り温度制御であるかの経時推移を示しており、図７（ｃ）は、前記冷温水パネル５１による冷房負荷の増減の経時推移を示しており、図７（ｄ）は、前記冷温水往き管２における循環液の前記往き冷水温度（前記往き温度センサ５６Ａが検出）、前記冷温水戻り管３における循環液の前記戻り冷水温度（前記戻り温度センサ５６Ｂが検出）、前記往き温度制御時における目標往き温度及び前記戻り温度制御時における目標戻り温度（前記図６のステップＳ５、ステップＳ９参照）、それぞれの経時推移を示しており、図７（ｅ）は、前記圧縮機７の回転数の経時推移を示している。
【００９０】
図７では、冷温水パネル５１のみが運転されている場合（図７（ａ）の時間ｔ１〜ｔ６参照）を例示している。時間ｔ１〜ｔ２において、冷房負荷が高負荷であり（図７（ｃ）の時間ｔ１〜ｔ２参照）、圧縮機７の回転数が約９０ｒｐｓ（図７（ｅ）の時間ｔ１〜ｔ２参照）で高回転数域（ゾーンＡ）であるため、前記のように戻り温度制御が行われ（図７（ｂ）の時間ｔ１〜ｔ２参照）、実戻り冷水温度が目標戻り温度約１７℃（図７（ｄ）の時間ｔ１〜ｔ２参照）となるように圧縮機７の回転数が制御される（図７（ｅ）の時間ｔ１〜ｔ２参照）。このとき、実往き冷水温度も約７℃で一定となっていく（図７（ｄ）の時間ｔ１〜ｔ２参照）。
【００９１】
その後、時間の経過と共に冷温水パネル５１が設置されたＡ室の室温が低下して冷房負荷が減少してくると（図７（ｃ）の時間ｔ２〜ｔ３参照）、前記戻り温度制御によって前記圧縮機７の回転数が徐々に低下し（図７（ｅ）の時間ｔ２〜ｔ３参照）、その結果、実往き冷水温度も徐々に上昇する（図７（ｄ）の時間ｔ２〜ｔ３参照）。
【００９２】
そして、冷房負荷の減少に伴う圧縮機７回転数の減少によって、圧縮機７の回転数が、高回転数域（ゾーンＡ）から中回転数域（ゾーンＢ）に減少する（圧縮機７の回転数が６５ｒｐｓ以下になる）と、戻り温度制御から往き温度制御への切り換えが行われ（図７（ｂ）の時間ｔ３参照）、往き温度制御の実行によって、実往き冷水温度が目標往き温度約７℃となるように圧縮機７の回転数が制御される（図７（ｅ）の時間ｔ３〜ｔ４参照）。すなわち、前記往き温度制御への切り換え時には実往き冷水温度は前記目標往き温度約７℃を上回っている。したがって、実往き冷水温度を低下させる（図７（ｄ）の時間ｔ３〜ｔ４参照）ために、圧縮機７の回転数が一旦増加する（図７（ｅ）の時間ｔ３〜ｔ４参照）。
【００９３】
その後、実往き冷水温度が目標往き温度約７℃（図７（ｄ）の時間ｔ４〜ｔ５参照）となるように圧縮機７の回転数が制御される。このとき、前記のように実往き冷水温度が約７℃で一定となる一方、実戻り冷水温度は冷房負荷に応じてなりゆきとなり、冷房負荷の減少（図７（ｃ）の時間ｔ４〜ｔ５参照）に伴い、圧縮機７の回転数が徐々に減少し（図７（ｅ）の時間ｔ４〜ｔ５参照）、その結果、実戻り冷水温度も徐々に低下する（図７（ｄ）の時間ｔ４〜ｔ５参照）。
【００９４】
そして、冷房負荷の減少に伴う圧縮機７回転数の減少によって、圧縮機７の回転数が、中回転数域（ゾーンＢ）から低回転数域（ゾーンＣ）に減少する（圧縮機７の回転数が３５ｒｐｓ以下になる）と、往き温度制御から戻り温度制御への切り換えが行われ（図７（ｂ）の時間ｔ５参照）、戻り温度制御の実行によって、実戻り冷水温度が目標往き温度約１７℃となるように圧縮機７の回転数が制御される（図７（ｅ）の時間ｔ５〜ｔ６）。すなわち、前記戻り温度制御への切り換え時には実戻り冷水温度は前記目標戻り温度約１７℃を下回っている。したがって、実戻り冷水温度を上昇させる（図７（ｄ）の時間ｔ５〜ｔ６参照）ために、圧縮機７の回転数が低下する（図７（ｅ）の時間ｔ５〜ｔ６参照）。これにより、前記実戻り冷水温度は上昇し（図７（ｄ）の時間ｔ５〜ｔ６参照）、冷房負荷に応じてなりゆきとなる前記実往き冷水温度も上昇する（図７（ｄ）の時間ｔ５〜ｔ６参照）。
【００９５】
その後、実戻り冷水温度が目標戻り温度約１７℃（図７（ｄ）の時間ｔ６〜参照）となるように圧縮機７の回転数が制御される。このとき、前記のように実戻り冷水温度が約１７℃で一定となる一方、実往き冷水温度は冷房負荷に応じてなりゆきとなり、冷房負荷が減少していき低負荷で一定となる（図７（ｃ）の時間ｔ６〜参照）と、実往き冷水温度もそれに合わせるように減少したのち一定となる（図７（ｄ）の時間ｔ６〜参照）。
【００９６】
また、図７においては、冷温水パネル５１のみが運転されている場合について説明したが、冷温水パネル５１が運転される場合には、冷温水パネル５１以外の空調端末、ここではファンコイルユニット５２が運転されるか否かにかかわらず、冷温水パネル５１に対応した制御が実行されることになり、冷温水パネル５１およびファンコイルユニット５２の双方で運転が行われる場合についても、図７に示したように、圧縮機７の回転数に応じて、往き温度制御もしくは戻り温度制御を切り換えて実行するものである。なお、ファンコイルユニット５２のみが運転されている場合は、圧縮機７がどのような回転数で駆動していようとも、戻り温度制御を実行する。
【００９７】
＜実施形態の効果＞
以上説明したように、本実施形態のヒートポンプ装置１００（ヒートポンプ式冷水冷房装置）によれば、空調端末の運転要求に基づき、運転される空調端末の種類を判定し、判定の結果、運転されるのが輻射式端末（冷温水パネル５１）であると判定された場合、前記圧縮機制御部６１は、現在の前記圧縮機７の回転数が予め設定された高回転数域（ゾーンＡ）であれば、前記戻り温度制御部６１Ｂにより前記戻り温度制御を実行し、現在の前記圧縮機７の回転数が予め設定された中回転数域（ゾーンＢ）であれば、前記往き温度制御部６１Ａにより前記往き温度制御を実行し、現在の前記圧縮機７の回転数が予め設定された低回転数域（ゾーンＣ）であれば前記戻り温度制御部６１Ｂにより前記戻り温度制御を実行する。その一方で、運転されるのが輻射式端末以外（ファンコイルユニット５２）であると判定された場合、前記圧縮機制御部６１は、前記戻り温度制御部６１Ｂにより前記戻り温度制御を実行するようにした。これにより、冷房運転の際に、空調端末の種類ごとに、前記往き温度制御および前記戻り温度制御のうち最適な制御を実行することができる。
【００９８】
特に、前記空調端末として輻射式端末（冷温水パネル５１）が運転される場合、前記圧縮機制御部６１は、現在の前記圧縮機７の回転数が予め設定された高回転数域（ゾーンＡ）であれば、前記戻り温度制御部６１Ｂにより前記戻り温度制御を実行することで、現在の圧縮機７が高回転数域（ゾーンＡ）で駆動しているときは、出力が大きく冷温水パネル５１に供給される循環液の往き温度は低下する傾向にあり、Ａ室内の冷温水パネル５１周辺の湿気をある程度除湿（すなわち潜熱処理）できると共に、負荷の低下に伴い、高回転数域（ゾーンＡ）内で圧縮機７の回転数が低下してきたときに効率を向上させることができる。そして、現在の前記圧縮機７の回転数が予め設定された中回転数域（ゾーンＢ）であれば、前記往き温度制御部６１Ａにより前記往き温度制御を実行することで、冷温水パネル５１自体がある程度冷え、冷温水パネル５１周辺の温度が安定した状態となる中負荷時において圧縮機７が中回転数域（ゾーンＢ）で駆動しているときは、冷温水パネル５１への供給温度が目標往き温度となり、低い温度で一定に維持されるため、確実にＡ室内の温度を低下させると共に、Ａ室内の湿度が高い状態で安定してしまうことなく、Ａ室内の湿度を低下させて快適性を向上させることができる。さらに、現在の前記圧縮機７の回転数が予め設定された低回転数域（ゾーンＣ）であれば、前記戻り温度制御部６１Ｂにより前記戻り温度制御を実行することで、低負荷時において圧縮機７が低回転数域（ゾーンＣ）で駆動しているときは、Ａ室内の温湿度環境が既に整った状態となっていることから、効率重視の戻り温度制御で効率を向上させることができる。また、前記空調端末として輻射式端末（冷温水パネル５１）以外の強制対流式端末（ファンコイルユニット５２）が運転される場合、送風ファンでＡ室内の空気を循環させることから、運転開始初期の高負荷時に室内の湿気をある程度均一に除湿（すなわち潜熱処理）した後、安定的な運転となるため、高い湿度で快適性が阻害される状況とはなりにくいので、効率重視の戻り温度制御で効率を向上させることができる。
【００９９】
なお、本発明は前記実施形態に限定されるものではなく、発明の要旨を変更しない範囲で種々の変更が可能である。
【０１００】
例えば、上記実施形態では、図４に示す室外機制御部ＣＵは、圧縮機制御部６１と、膨張弁制御部６２とを機能的に備えているが、図８に示すように、室外機制御部ＣＵは、圧縮機制御部６１αと、膨張弁制御部６２αとを機能的に備えたものとしてもよい。
【０１０１】
上記圧縮機制御部６１αは、メインリモコン装置ＲＭにおける前記操作部２５９等の操作により設定された設定温度と、メインリモコン装置ＲＭに内蔵しリモコン装置ＲＭが設置された室内の温度を検出する室温センサ（図示せず）との温度差から負荷の大きさを判断し、その負荷の大きさに応じて、圧縮機７の回転数を増減制御する。そして、上記膨張弁制御部６２αは、往き温度制御部６２Ａと、戻り温度制御部６２Ｂと、を備えている。
【０１０２】
上記膨張弁制御部６２αは、往き温度制御部６２Ａと、戻り温度制御部６２Ｂと、を備えている。往き温度制御部６２Ａは、前記往き温度センサ５６Ａにより検出された循環液の前記往き温度に応じて膨張弁９開度を制御する往き温度制御を行う。特にこの例では、往き温度制御部６２Ａは、前記往き温度センサ５６Ａにより検出される前記往き温度が、例えば前記メインリモコン装置ＲＭにおける前記操作部２５９等の操作に対応して設定（詳細は省略）される所望の目標温度（目標往き温度）となるように、前記膨張弁９の開度を制御する。戻り温度制御部６２Ｂは、前記戻り温度センサ５６Ｂにより検出された循環液の前記戻り温度に応じて前記膨張弁９の開度を制御する戻り温度制御を行う。特にこの例では、戻り温度制御部６２Ｂは、前記戻り温度センサ５６Ｂにより検出される前記戻り温度が、例えば前記メインリモコン装置ＲＭにおける前記操作部２５９等の操作に対応して設定（詳細は後述）される所望の目標温度（目標戻り温度）となるように、前記膨張弁９の開度を制御する。
【０１０３】
そして、冷温水パネル５１で冷房運転が行われる場合、圧縮機制御部６１αにて現在の圧縮機７の回転数が予め設定された高回転数域のゾーンＡに該当すると判断したときは、膨張弁制御部６２αは戻り温度制御部６２Ｂに前記戻り温度制御を実行させ、圧縮機制御部６１αにて現在の圧縮機７の回転数が予め設定された中回転数域のゾーンＢに該当すると判断したときは、膨張弁制御部６２αは往き温度制御部６２Ａに前記往き温度制御を実行させ、圧縮機制御部６１αにて現在の圧縮機７の回転数が予め設定された低回転数域のゾーンＣに該当すると判断したときは、膨張弁制御部６２αは戻り温度制御部６２Ｂに前記戻り温度制御を実行させる。
【０１０４】
また、ファンコイルユニット５２で冷房運転が行われる場合は、負荷の大きさに関係なく、つまり、圧縮機７の回転数に関係なく、戻り温度制御が常時実行される。
【０１０５】
図８に示した室外制御部ＣＵを備えた室外機１を有するヒートポンプ装置１００において、上記のように制御することで、先に説明した図４に示した室外制御部ＣＵを備えた室外機１を有するヒートポンプ装置１００と同様の効果を発揮することができる。
【０１０６】
また、例えば、上記実施形態では、共通往き管２Ａにおける循環液の往き温度を前記往き温度センサ５６Ａで検出し、その検出値を制御に用いていたが、この往き温度センサ５６Ａを省略し（あるいは検出値を用いず）、前記吐出温度センサ５５の検出値と、前記戻り温度センサ５６Ｂの検出値と、前記冷媒温度センサ５７の検出値と、冷媒循環量に係わる冷媒状態量としての前記圧縮機７の回転数と、冷媒循環量に係わる冷媒状態量としての前記膨張弁９の弁開度とから前記往き温度を推測して決定（推定）するようにしてもよい。
【０１０７】
なお、上記の本変形例においても、前記室外機制御部ＣＵは、圧縮機制御部６１と、膨張弁制御部６２とを機能的に備えている。そして、圧縮機制御部６１は、図４における往き温度制御部６１Ａに代わる往き温度制御部６１Ａ′（図示は省略）と、図４と同様の戻り温度制御部６１Ｂと、を備えている。
【０１０８】
往き温度制御部６１Ａ′は、前記吐出温度センサ５５により検出された冷媒吐出温度と、前記戻り温度センサ５６Ｂで検出された循環液の前記戻り温度と、前記冷媒温度センサ５７により検出された冷媒温度と、冷媒循環量に係わる冷媒状態量としての前記圧縮機７の回転数と、冷媒循環量に係わる冷媒状態量としての前記膨張弁９の弁開度とに基づいて、共通往き管２Ａにおける循環液の前記往き温度を決定（推定）し、その決定された往き温度に応じて前記圧縮機７の回転数を制御する前記往き温度制御を行う。特にこの例では、往き温度制御部６１Ａ′は、決定される前記往き温度が、例えば前記メインリモコン装置ＲＭにおける前記操作部２５９等の操作に対応して設定（詳細は省略）される所望の目標温度（目標往き温度）となるように、前記圧縮機７の回転数を制御する。
【０１０９】
以上のようにして、往き温度制御部６１Ａ′は、前記往き温度を決定（推定）し、その決定された往き温度に応じて前記往き温度制御を行うが、前記往き温度の推定の方法は本変形例に限定されるものではなく、別の方法にて前記往き温度を推定し、往き温度制御部６１Ａ′は、その推定された（決定された）往き温度に応じて前記往き温度制御を行っても良い。
【０１１０】
また、上記の本変形例においても、前記実施形態と同様の効果を得る。すなわち、運転される空調端末の種類を判定し、判定の結果に基づいて、前記往き温度制御部６１Ａ′による（前記戻り温度から決定された往き温度に基づく）往き温度制御、または前記戻り温度制御部６１Ｂによる（前記戻り温度に基づく）戻り温度制御が実行される。これにより、冷房運転の際に、空調端末の種類ごとに、前記往き温度制御および前記戻り温度制御のうち最適な制御を実行することができる。
【０１１１】
また、上記実施形態では、輻射式端末（冷温水パネル５１）が運転される場合、圧縮機７の回転数に応じて、前記往き温度制御および前記戻り温度制御のうち最適な制御を実行するようにしているが、運転開始直後は、圧縮機７の回転数が変動するため、運転開始から所定時間は、圧縮機制御部６１は戻り温度制御部６１Ｂにより戻り温度制御のみを実行するものとし、圧縮機７の回転数が安定する所定時間後から圧縮機７の回転数に応じた上記の制御を実行するのが好ましい。
【０１１２】
なお、ヒートポンプ装置１００に備えられる空調端末は前記のように２台に限られず、３台以上であってもよい。
【０１１３】
また、上記実施形態では、ヒートポンプ式熱源機として、熱源側熱交換器である室外熱交換器８に冷媒を通じる一方で外気を送風する室外ファン１０を有し、熱源としての外気と前記冷媒とが熱交換される、空気熱源式の前記室外機１を使用した場合を例にとって説明したが、これに限られない。すなわち、ヒートポンプ式熱源機を、熱源側熱交換器に対して水や不凍液が供給されそれらの液体と冷媒とが当該熱源側熱交換器において熱交換する構成のものとしてもよい。
また、地中又は比較的大容量の水源中に熱源側熱交換器を設け、この熱源側熱交換器で前記地中又は前記水源と冷媒とが熱交換する構成のものとしてもよい。さらには、前記地中又は前記水源の熱を用いたヒートポンプ回路と空気熱を用いた別のヒートポンプ回路とを備えた複合熱源型の構成としてもよい。
さらには、熱源側熱交換器において前記冷媒と熱交換できるものであれば、前記液体や前記外気や前記水源に代えて、それ以外のもの（例えば、発煙、排煙、各種高温ガス等を含む気体や、熱砂、塵埃、各種粒子等を含む流動固体）を熱源側熱交換器に通じたり、太陽光、反射光、その他輻射等による熱を熱源側熱交換器に供給して用いる構成としても良い。
【符号の説明】
【０１１４】
１    室外機
２    冷温水往き管
３    冷温水戻り管
７    圧縮機
８    室外熱交換器
９    膨張弁
１１    水−冷媒熱交換器
１２    循環ポンプ
２２    冷温水循環回路
５１    冷温水パネル
５２    ファンコイルユニット
５６Ａ  往き温度センサ
５６Ｂ  戻り温度センサ
６１    圧縮機制御部
１００  ヒートポンプ装置（ヒートポンプ式冷水冷房装置）
ＣＵ    室外機制御部
【図１】
2020012599.tif 000003
【図２】
2020012599.tif 000004
【図３】
2020012599.tif 000005
【図４】
2020012599.tif 000006
【図５】
2020012599.tif 000007
【図６】
2020012599.tif 000008
【図７】
2020012599.tif 000009
【図８】
2020012599.tif 000010